(57)【要約】【課題】生活者が詳しい商品情報を簡単に入手することができるようにする。【解決手段】統括団体システム１０により、コード情報付与装置２０〜４０から送られる生産、流通、小売までの商品５０に対する商品情報である生産情報、流通情報、小売情報を生産ＤＢ（データベース）１１、流通ＤＢ（データベース）１２、小売（データベース）１３に登録するとともに、流通情報及び小売情報を生産ＤＢ（データベース）１１にフィードバックすることで、その商品情報を一元的に管理し、携帯端末６０により、ＱＲコード２１〜４１のうち、たとえばＱＲコード４１が撮影されてデコードされると、統括団体システム１０へのアクセスが開始され、統括団体システム１０から一元的に管理されている商品情報が携帯端末６０に返信されるようにする。【選択図】　　図１
2004102387.tif 000002
【特許請求の範囲】
【請求項１】
生産、流通、小売までの商品に対する商品情報である生産情報、流通情報、小売情報を一元的に管理する機能を有する統括団体システムと、
前記統括団体システムに対しネットワークを介して接続され、前記商品に対して前記生産情報を示す第１の二次元コード情報を付与するとともに、前記生産情報を前記統括団体システムに送る機能を有する第１のコード情報付与装置と、
前記統括団体システムに対しネットワークを介して接続され、前記商品に対して前記流通情報を示す第２の二次元コード情報を付与するとともに、前記流通情報を前記統括団体システムに送る機能を有する第２のコード情報付与装置と、
前記統括団体システムに対しネットワークを介して接続され、前記商品に対して前記小売情報を示す第３の二次元コード情報を付与するとともに、前記小売情報を前記統括団体システムに送る機能を有する第２のコード情報付与装置と、
少なくとも前記商品に付与された前記第１〜第３の二次元コード情報の何れかを撮影する機能と、撮影した何れかの前記第１〜第３の二次元コード情報をデコードする機能とを有する携帯端末と
を備え、
前記携帯端末によって撮影された何れかの前記第１〜第３の二次元コード情報がデコードされると、前記統括団体システムへのアクセスが開始され、前記統括団体システムから一元的に管理されている前記商品情報が前記携帯端末に返信されることを特徴とする流通管理システム。
【請求項２】
前記第１〜第３のコード情報付与装置は、二次元コード情報の読取り機能を有し、前記第２及び第３のコード情報付与装置は、前記流通情報及び小売情報を前記統括団体システムに送る際、前記第１の二次元コード情報を読取って得られる前記生産情報を併せて送ることを特徴とする請求項１に記載の流通管理システム。
【請求項３】
前記統括団体システムは、
前記第１のコード情報付与装置から送られる前記生産情報が登録される生産データベースと、
前記第２のコード情報付与装置から送られる前記生産情報及び流通情報が登録される流通データベースと、
前記第３のコード情報付与装置から送られる前記生産情報及び小売情報が登録される小売データベースとを備え、
前記生産情報、流通情報、小売情報の何れかを前記生産データベース、流通データベース、小売データベースの何れかにフィードバックすることで、前記商品情報を一元的に管理することを特徴とする請求項１又は２に記載の流通管理システム。
【請求項４】
前記統括団体システムは、前記流通情報及び小売情報を前記生産データベースにフィードバックすることを特徴とする請求項３に記載の流通管理システム。
【請求項５】
前記第２の二次元コード情報は、前記生産情報＋流通情報であり、前記第３の二次元コード情報は、前記生産情報＋流通情報＋小売情報であることを特徴とする請求項１〜３の何れかに記載の流通管理システム。
【請求項６】
第１のコード情報付与装置から送られる生産情報が登録される生産データベースと、
第２のコード情報付与装置から送られる生産情報及び流通情報が登録される流通データベースと、
第３のコード情報付与装置から送られる生産情報及び小売情報が登録される小売データベースとを備え、
前記生産情報、流通情報、小売情報の何れかを前記生産データベース、流通データベース、小売データベースの何れかにフィードバックすることにより、前記生産情報、流通情報、小売情報を商品情報として一元的に管理することを特徴とする統括団体システム。
【請求項７】
統括団体システムにより、生産、流通、小売までの商品に対する商品情報である生産情報、流通情報、小売情報を一元的に管理する工程と、
前記統括団体システムに対しネットワークを介して接続される第１のコード情報付与装置により、前記商品に対して前記生産情報を示す第１の二次元コード情報を付与するとともに、前記生産情報を前記統括団体システムに送る工程と、
前記統括団体システムに対しネットワークを介して接続される第２のコード情報付与装置により、前記商品に対して前記流通情報を示す第２の二次元コード情報を付与するとともに、前記流通情報を前記統括団体システムに送る工程と、
前記統括団体システムに対しネットワークを介して接続される第２のコード情報付与装置により、前記商品に対して前記小売情報を示す第３の二次元コード情報を付与するとともに、前記小売情報を前記統括団体システムに送る工程と、
少なくとも前記商品に付与された前記第１〜第３の二次元コード情報の何れかを撮影する機能と、撮影した何れかの前記第１〜第３の二次元コード情報をデコードする機能とを有する携帯端末により、何れかの前記第１〜第３の二次元コード情報が撮影されてデコードされると、前記統括団体システムへのアクセスが開始され、前記統括団体システムから一元的に管理されている前記商品情報が前記携帯端末に返信される工程とを有する
ことを特徴とする流通管理方法。
【請求項８】
前記第１〜第３のコード情報付与装置は、二次元コード情報の読取り機能を有し、前記第２及び第３のコード情報付与装置により、前記流通情報及び小売情報が前記統括団体システムに送られる際、前記第１の二次元コード情報を読取って得られる前記生産情報が併せて送られる工程を有することを特徴とする請求項７に記載の流通管理方法。
【請求項９】
生産データベースにより、前記第１のコード情報付与装置から送られる前記生産情報が登録される工程と、
流通データベースにより、前記第２のコード情報付与装置から送られる前記生産情報及び流通情報が登録される工程と、
小売データベースにより、前記第３のコード情報付与装置から送られる前記生産情報及び小売情報が登録される工程と、
前記生産情報、流通情報、小売情報の何れかを前記生産データベース、流通データベース、小売データベースの何れかにフィードバックすることで、前記商品情報を一元的に管理する工程とを有する
ことを特徴とする請求項７又は８に記載の流通管理方法。
【請求項１０】
前記流通情報及び小売情報を前記生産データベースにフィードバックする工程を有することを特徴とする請求項９に記載の流通管理方法。
【請求項１１】
前記第２の二次元コード情報は、前記生産情報＋流通情報であり、前記第３の二次元コード情報は、前記生産情報＋流通情報＋小売情報であることを特徴とする請求項７〜９の何れかに記載の流通管理方法。
【請求項１２】
生産データベースにより、前記第１のコード情報付与装置から送られる前記生産情報が登録される工程と、
流通データベースにより、前記第２のコード情報付与装置から送られる前記生産情報及び流通情報が登録される工程と、
小売データベースにより、前記第３のコード情報付与装置から送られる前記生産情報及び小売情報が登録される工程と、
前記生産情報、流通情報、小売情報の何れかを前記生産データベース、流通データベース、小売データベースの何れかにフィードバックすることで、前記生産情報、流通情報、小売情報を商品情報として一元的に管理する工程を有する
ことを特徴とする統括団体システムにおける流通管理方法。
【請求項１３】
請求項７〜１１の何れかに記載の流通管理方法を実行することを特徴とするプログラム。
【請求項１４】
請求項１２に記載の統括団体システムにおける流通管理方法を実行することを特徴とするプログラム。
【請求項１５】
請求項７〜１１の何れかに記載の流通管理方法を実行するプログラムが記録されていることを特徴とする記録媒体。
【請求項１６】
請求項１２に記載の統括団体システムにおける流通管理方法を実行するプログラムが記録されていることを特徴とする記録媒体。
【発明の詳細な説明】
【０００１】
【発明の属する技術分野】
本発明は、複雑化する流通において、生活者が、必要な商品の生産や流通に関わる商品情報を必要な時に入手可能とする流通管理システムに関する。
【０００２】
【従来の技術】
従来より、輸送中の食品を管理する食品流通管理システムが提案されている（たとえば、特許文献１参照）。これは、輸送容器に搭載した監視装置によって保管状態の異常又は異常の発生を予測し、故障情報として管理センターに提供する。管理センターは、認識した故障情報に基づいて修理サービスステーションの側へ該当する輸送容器の修理指示を命令する。修理サービスステーションの側は管理センターからの修理指示に基づいて修理作業を実行する。これにより、障害が発生したり発生しそうになった場合であっても、輸送容器に詰められている商品の品質の低下を予防したり、損失を僅かに食い止めることができる。
【０００３】
【特許文献１】
特許公開２００１−１３０７１６（段落００１７、００１９〜００２２、図１）
【０００４】
【発明が解決しようとする課題】
ところが、上述した従来の食品流通管理システムでは、主に輸送中の商品の品質の低下を予防することができるが、以下のように、生活者が詳しい商品情報を簡単に入手することが不可能となっている。
【０００５】
すなわち、たとえばパッケージングされた食品等の商品には加工日、商品のメーカー名、品名、価格等の商品情報を示すバーコードが付されている。このようなバーコードは、レジにて読取られることで、売上げの管理等に用いられる。ところが、これまでの商品情報を示すバーコードは、一次元的なものであり、そこには商品のメーカー名、品名、価格等に相当する数字しか記入されておらず、賞味期限や製造日等の日付に関わる情報や製造元等の商品の生産者を表す情報は記載されていない。また、商品が流通でどのような経路をたどったかということも記載されていないため不明である。
【０００６】
ところで、今日においては、生活者の食品に対する関心が高まっている。併せて、情報公開の流れの中で、いままで製造元や流通だけが管理していればよかった情報を、生活者に公開することが社会的に重要な意味を持ち始めている。また、製造元や流通の食品関連情報の不正記載等が社会問題となっていることからも、食品の情報について一元的に管理され、改竄しにくく、しかも生活者にもチェックを簡単に行い得る仕組みの確立が望まれている。
【０００７】
本発明は、このような状況に鑑みてなされたものであり、生活者が詳しい商品情報を簡単に入手することができる流通管理システムを提供することができるようにするものである。
【０００８】
【課題を解決するための手段】
本発明の流通管理システムは、生産、流通、小売までの商品に対する商品情報である生産情報、流通情報、小売情報を一元的に管理する機能を有する統括団体システムと、統括団体システムに対しネットワークを介して接続され、商品に対して生産情報を示す第１の二次元コード情報を付与するとともに、生産情報を統括団体システムに送る機能を有する第１のコード情報付与装置と、統括団体システムに対しネットワークを介して接続され、商品に対して流通情報を示す第２の二次元コード情報を付与するとともに、流通情報を統括団体システムに送る機能を有する第２のコード情報付与装置と、統括団体システムに対しネットワークを介して接続され、商品に対して小売情報を示す第３の二次元コード情報を付与するとともに、小売情報を統括団体システムに送る機能を有する第２のコード情報付与装置と、少なくとも商品に付与された第１〜第３の二次元コード情報の何れかを撮影する機能と、撮影した何れかの第１〜第３の二次元コード情報をデコードする機能とを有する携帯端末とを備え、携帯端末によって撮影された何れかの第１〜第３の二次元コード情報がデコードされると、統括団体システムへのアクセスが開始され、統括団体システムから一元的に管理されている商品情報が携帯端末に返信されることを特徴とする。
また、本発明の流通管理システムは、第１〜第３のコード情報付与装置は、二次元コード情報の読取り機能を有し、第２及び第３のコード情報付与装置は、流通情報及び小売情報を統括団体システムに送る際、第１の二次元コード情報を読取って得られる生産情報を併せて送るようにすることができる。
また、本発明の流通管理システムは、統括団体システムは、第１のコード情報付与装置から送られる生産情報が登録される生産データベースと、第２のコード情報付与装置から送られる生産情報及び流通情報が登録される流通データベースと、第３のコード情報付与装置から送られる生産情報及び小売情報が登録される小売データベースとを備え、生産情報、流通情報、小売情報の何れかを生産データベース、流通データベース、小売データベースの何れかにフィードバックすることで、商品情報を一元的に管理するようにすることができる。
また、本発明の流通管理システムは、統括団体システムは、流通情報及び小売情報を生産データベースにフィードバックするようにすることができる。
また、本発明の流通管理システムは、第２の二次元コード情報は、生産情報＋流通情報であり、第３の二次元コード情報は、生産情報＋流通情報＋小売情報であるようにすることができる。
本発明の統括団体システムは、第１のコード情報付与装置から送られる生産情報が登録される生産データベースと、第２のコード情報付与装置から送られる生産情報及び流通情報が登録される流通データベースと、第３のコード情報付与装置から送られる生産情報及び小売情報が登録される小売データベースとを備え、生産情報、流通情報、小売情報の何れかを生産データベース、流通データベース、小売データベースの何れかにフィードバックすることにより、生産情報、流通情報、小売情報を商品情報として一元的に管理することを特徴とする。
本発明の流通管理方法は、統括団体システムにより、生産、流通、小売までの商品に対する商品情報である生産情報、流通情報、小売情報を一元的に管理する工程と、統括団体システムに対しネットワークを介して接続される第１のコード情報付与装置により、商品に対して生産情報を示す第１の二次元コード情報を付与するとともに、生産情報を統括団体システムに送る工程と、統括団体システムに対しネットワークを介して接続される第２のコード情報付与装置により、商品に対して流通情報を示す第２の二次元コード情報を付与するとともに、流通情報を統括団体システムに送る工程と、統括団体システムに対しネットワークを介して接続される第２のコード情報付与装置により、商品に対して小売情報を示す第３の二次元コード情報を付与するとともに、小売情報を統括団体システムに送る工程と、少なくとも商品に付与された第１〜第３の二次元コード情報の何れかを撮影する機能と、撮影した何れかの第１〜第３の二次元コード情報をデコードする機能とを有する携帯端末により、何れかの第１〜第３の二次元コード情報が撮影されてデコードされると、統括団体システムへのアクセスが開始され、統括団体システムから一元的に管理されている商品情報が携帯端末に返信される工程とを有することを特徴とする。
また、本発明の流通管理方法は、第１〜第３のコード情報付与装置は、二次元コード情報の読取り機能を有し、第２及び第３のコード情報付与装置により、流通情報及び小売情報が統括団体システムに送られる際、第１の二次元コード情報を読取って得られる生産情報が併せて送られる工程を有するようにすることができる。
また、本発明の流通管理方法は、生産データベースにより、第１のコード情報付与装置から送られる生産情報が登録される工程と、流通データベースにより、第２のコード情報付与装置から送られる生産情報及び流通情報が登録される工程と、小売データベースにより、第３のコード情報付与装置から送られる生産情報及び小売情報が登録される工程と、生産情報、流通情報、小売情報の何れかを生産データベース、流通データベース、小売データベースの何れかにフィードバックすることで、商品情報を一元的に管理する工程とを有するようにすることができる。
また、本発明の流通管理方法は、流通情報及び小売情報を生産データベースにフィードバックする工程を有するようにすることができる。
また、本発明の流通管理方法は、第２の二次元コード情報は、生産情報＋流通情報であり、第３の二次元コード情報は、生産情報＋流通情報＋小売情報であるようにすることができる。
本発明の統括団体システムにおける流通管理方法は、生産データベースにより、第１のコード情報付与装置から送られる生産情報が登録される工程と、流通データベースにより、第２のコード情報付与装置から送られる生産情報及び流通情報が登録される工程と、小売データベースにより、第３のコード情報付与装置から送られる生産情報及び小売情報が登録される工程と、生産情報、流通情報、小売情報の何れかを生産データベース、流通データベース、小売データベースの何れかにフィードバックすることで、生産情報、流通情報、小売情報を商品情報として一元的に管理する工程を有することを特徴とする。
本発明のプログラムは、請求項７〜１１の何れかに記載の流通管理方法を実行することを特徴とする。
本発明のプログラムは、請求項１２に記載の統括団体システムにおける流通管理方法を実行することを特徴とする。
本発明の記録媒体は、請求項７〜１１の何れかに記載の流通管理方法を実行するプログラムが記録されていることを特徴とする。
本発明の記録媒体は、請求項１２に記載の統括団体システムにおける流通管理方法を実行するプログラムが記録されていることを特徴とする。
本発明に係る流通管理システムにおいては、統括団体システムにより、生産、流通、小売までの商品に対する生産情報、流通情報、小売情報である商品情報を一元的に管理し、携帯端末により、何れかの第１〜第３の二次元コード情報が撮影されてデコードされると、統括団体システムへのアクセスが開始され、統括団体システムから一元的に管理されている商品情報が携帯端末に返信されるようにする。
【０００９】
【発明の実施の形態】
以下、本発明の実施の形態について説明する。
【００１０】
図１は、本発明の流通管理システムの一実施の形態を示す図、図２〜図４は、図１のコード情報の詳細を説明するための図、図５は、図１の流通管理システムにおける流通管理方法を説明するための図である。
【００１１】
図１に示す流通管理システムは、統括団体システム１０、コード情報付与装置２０〜４０、携帯端末６０を備えている。
【００１２】
統括団体システム１０は、生産、流通、小売までの商品５０に対する商品情報である後述の生産情報、流通情報、小売情報を一元的に管理するものであり、生産ＤＢ（データベース）１１、流通ＤＢ（データベース）１２、小売ＤＢ（データベース）１３を備えている。
【００１３】
生産ＤＢ（データベース）１１には、商品５０に対する生産元や品名等を示す生産情報が登録されるようになっている。流通ＤＢ（データベース）１２には、生産情報及び流通情報が登録されるようになっている。小売ＤＢ（データベース）１３には、生産情報及び小売情報が登録されるようになっている。また、流通ＤＢ（データベース）１２に登録されている流通情報及び小売ＤＢ（データベース）１３に登録されている小売情報が生産ＤＢ（データベース）１１にフィードバックされることにより、生産、流通、小売までの商品５０に対する商品情報が一元的に管理されることになる。
【００１４】
第１〜第３のコード情報付与装置としてのコード情報付与装置２０〜４０は、それぞれ生産者側、流通業者側、小売業者側に設けられているものであり、後述する二次元コード情報の付与機能と二次元コード情報の読取り機能とを備えている。また、コード情報付与装置２０〜４０は、統括団体システム１０との間でネットワークを介し情報のやり取りが行われるようになっている。
【００１５】
コード情報付与装置２０は、生産情報を示す第１の二次元コード情報としてのＱＲコード２１を商品５０に付与するものである。ここで、商品５０に対し、ＱＲコード２１が付与されると、その生産情報が統括団体システム１０へネットワークを介して送られることで、生産ＤＢ（データベース）１１に登録されるようになっている。
【００１６】
コード情報付与装置３０は、商品５０の流通を管理する流通情報を示す第２の二次元コード情報としてのＱＲコード３１を商品５０に付与するものである。ここで、商品５０に対し、ＱＲコード３１が付与されると、その流通情報が統括団体システム１０へネットワークを介して送られる。このとき、商品５０に付与されているＱＲコード２１が読取られることにより、その流通情報に併せて生産情報が統括団体システム１０へ送られ、生産情報と流通情報とが流通ＤＢ（データベース）１２に登録されるようになっている。
【００１７】
コード情報付与装置４０は、商品５０の小売を管理する小売情報を示す第３の二次元コード情報としてのＱＲコード４１を商品５０に付与するものである。ここで、ＱＲコード４１が商品５０に付与されると、その小売情報が統括団体システム１０へネットワークを介して送られる。このとき、商品５０に付与されているＱＲコード２１が読取られることにより、その小売情報に併せて生産情報が統括団体システム１０へ送られ、生産情報と小売情報とが小売ＤＢ（データベース）１３に登録されるようになっている。
【００１８】
そして、流通ＤＢ（データベース）１２に登録された流通情報と、小売ＤＢ（データベース）１３に登録された小売情報とが生産ＤＢ（データベース）１１にフィードバックされることにより、生産、流通、小売までの商品５０に対する商品情報が一元的に管理される。
【００１９】
携帯端末６０は、生活者が携帯するものであり、少なくとも撮影機能と二次元コード情報をデコードするデコード機能とを有している。携帯端末６０としては、携帯電話、ＰＤＡ等を使用することができる。携帯端末６０によってたとえばＱＲコード４１が撮影されてデコードされると、統括団体システム１０へのアクセスが開始され、流通ＤＢ（データベース）１２に登録されているその商品５０に対する商品情報である生産情報、流通情報、小売情報が統括団体システム１０から返信されるようになっている。
【００２０】
次に、二次元コード情報の詳細について説明する。
【００２１】
図２は、たとえば生産者側にて付与されるＱＲコード２１の詳細を示すものであり、カンマ区切りのＣＳＶ形式やＸＭＬタグを用いた情報を区分けして格納する形式となっている。また、ＱＲコード２１には、コードの機能として▲１▼物品特定機能、▲２▼出荷管理機能、▲３▼有効期限管理機能、▲４▼食品管理コード等が含まれている。このような情報により、「誰が」「いつ・どこで」「使用目的」等が明確となる。
【００２２】
また、ＱＲコード３１にあっては、上記の▲１▼〜▲４▼のコードの機能の加え、たとえば図３に示すように、▲５▼流通経路測定機能を含ませることができる。ＱＲコード４１にあっては、上記の▲１▼〜▲５▼のコードの機能の加え、たとえば図３に示すように、▲６▼小売管理機能を含ませることができる。
【００２３】
また、ＱＲコード２１〜４１を商品５０に付与する場合には、図４に示すような商品形態に応じて行うことが好ましい。つまり、商品形態を類別すると、生鮮物Ａ、加工品Ｂ、中食Ｃとなる。ちなみに、生鮮物Ａは、肉、魚、野菜、果物等である。加工品Ｂは、工場などで生産される加工品であらかじめパッケージに分けて出荷されるものである。中食Ｃは、お惣菜、パン・ケーキなどであり、デパートやスーパーなどで加工して販売する商品である。
【００２４】
また、これら生鮮物Ａ、加工品Ｂ、中食Ｃは、パッケージの有無によって類別される。つまり、生鮮物Ａは、商品出荷の際、通箱を使用する。流通先や購買の際にパッケージ化されたり、袋分けされる場合がある。加工品Ｂは、紙箱（箱）、ビニール袋、缶、瓶、プラスチックケース、発泡スチロールなどが一般的に用いられる。出荷段階で商品コードや情報が付加されており、製造年月日や有効期限も記載されている。中食Ｃは、ビニール袋やラップ処理が一般的である。商品情報の表示は有る場合と無い場合がある。有る場合は、製造先と賞味期限が記載されている。また、二次元コード情報には、統括団体システム１０へのアクセスコードを含ませることができる。
【００２５】
次に、このような構成の流通管理システムにおける流通管理方法について説明する。
【００２６】
まず、図５に示すように、生産者が上記のコード情報付与装置２０により、商品５０に生産情報を示すＱＲコード２１を付与する（ステップ５０１）。ここで、その生産情報をＡデータとすると、そのＡデータが生産ＤＢ（データベース）１１に登録される。次いで、その商品５０が流通業者にわたると、流通業者が図１に示したコード情報付与装置３０により、商品５０に流通情報を示すＱＲコード３１を付与する（ステップ５０２）。ここで、ＱＲコード３１を商品５０に付与する際、商品５０に付与されているＱＲコード２１が読取られる。これにより、ＱＲコード３１が商品５０に付与されると、その生産情報と流通情報とが統括団体システム１０に送られ、流通ＤＢ（データベース）１２に登録される。ここで、その流通情報をＢデータとすると、Ａ＋Ｂデータが流通ＤＢ（データベース）１２に登録されることになる。
【００２７】
次いで、その商品５０が小売業者にわたると、小売業者が図１に示したコード情報付与装置４０により、商品５０に小売情報を示すＱＲコード４１を付与する（ステップ５０３）。ここで、ＱＲコード４１を商品５０に付与する際、商品５０に付与されているＱＲコード２１が読取られる。これにより、ＱＲコード４１が商品５０に付与されると、その生産情報と小売情報とが統括団体システム１０に送られ、小売ＤＢ（データベース）１３に登録される。ここで、その小売情報をＣデータとすると、そのＡ＋Ｃデータが小売ＤＢ（データベース）１３に登録されることになる。
【００２８】
次いで、流通ＤＢ（データベース）１２からＢデータが生産ＤＢ（データベース）１１にフィードバックされるとともに、小売ＤＢ（データベース）１３からＣデータが生産ＤＢ（データベース）１１にフィードバックされる（ステップ５０４，５０５）。これにより、生産〜小売までの商品５０の商品情報が生産ＤＢ（データベース）１１によって一元的に管理される。
【００２９】
そして、生活者が携帯端末６０によってたとえばＱＲコード４１を撮影し（ステップ５０６）、そのＱＲコード４１がデコードされると（ステップ５０７）、そのＱＲコード４１に含まれるアクセスコードに基づき、統括団体システム１０へのアクセスが開始され、その商品５０に対する商品情報である生産情報、流通情報、小売情報を示すＡ＋Ｂ＋Ｃデータが携帯端末６０に返信される（ステップ５０８）。これにより、生活者は、商品５０の生産〜小売までの商品情報を確認することができる。
【００３０】
このように、本実施の形態では、統括団体システム１０により、コード情報付与装置２０〜４０から送られる生産、流通、小売までの商品５０に対する商品情報である生産情報、流通情報、小売情報を生産ＤＢ（データベース）１１、流通ＤＢ（データベース）１２、小売ＤＢ（データベース）１３に登録するとともに、流通情報及び小売情報を生産ＤＢ（データベース）１１にフィードバックすることで、その商品情報を一元的に管理し、携帯端末６０により、ＱＲコード２１〜４１のうち、たとえばＱＲコード４１が撮影されてデコードされると、統括団体システム１０へのアクセスが開始され、統括団体システム１０から一元的に管理されている商品情報が携帯端末６０に返信されるようにしたので、生活者が詳しい商品情報を簡単に入手することができる。
【００３１】
なお、本実施の形態では、生産ＤＢ（データベース）１１によって生産、流通、小売までの商品５０に対する商品情報を一元的に管理する場合について説明したが、この例に限らず、流通ＤＢ（データベース）１２又は小売ＤＢ（データベース）１３によってその商品情報を一元的に管理するようにしてもよい。
【００３２】
また、本実施の形態では、携帯端末６０により、たとえばＱＲコード４１を撮影することで、商品情報が返信される場合について説明したが、この例に限らず、他のＱＲコード２１又は３１を撮影することで、商品情報が返信されるようにしてもよい。
【００３３】
また、本実施の形態では、コード情報付与装置３０により商品５０に付与されるＱＲコード３１の情報を流通情報とし、コード情報付与装置４０により商品５０に付与されるＱＲコード４１の情報を小売情報とした場合について説明したが、この例に限らず、ＱＲコード３１の情報を生産情報＋流通情報とし、ＱＲコード４１の情報を生産情報＋流通情報＋小売情報としてもよい。
【００３４】
また、二次元コード情報としては、スタック式、マトリックス式の何れであってもよい。
【００３５】
【発明の効果】
以上の如く本発明に係る流通管理システムによれば、統括団体システムにより、生産、流通、小売までの商品に対する生産情報、流通情報、小売情報である商品情報を一元的に管理し、携帯端末により、何れかの第１〜第３の二次元コード情報が撮影されてデコードされると、統括団体システムへのアクセスが開始され、統括団体システムから一元的に管理されている商品情報が携帯端末に返信されるようにしたので、生活者が詳しい商品情報を簡単に入手することができる。
【図面の簡単な説明】
【図１】本発明の流通管理システムの一実施の形態を示す図である。
【図２】図１のコード情報の詳細を説明するための図である。
【図３】図１のコード情報の詳細を説明するための図である。
【図４】図１のコード情報の詳細を説明するための図である。
【図５】図１の流通管理システムにおける流通管理方法を説明するための図である。
【符号の説明】
１０　統括団体システム
１１　生産ＤＢ（データベース）
１２　流通ＤＢ（データベース）
１３　小売ＤＢ（データベース）
２０〜４０　コード情報付与装置
２１〜４１　ＱＲコード
５０　商品
６０　携帯端末
【図１】
2004102387.tif 000003
【図２】
2004102387.tif 000004
【図３】
2004102387.tif 000005
【図４】
2004102387.tif 000006
【図５】
2004102387.tif 000007